(57)【要約】  本発明は、設備（１）のモニタリングを意図した、水素の検出及び／又は定量解析のためのデバイス（１００）に関する。前記デバイス（１００）は、設備（１）に備えることが意図された第１の測定用光ファイバー（１０）と、第１の測定用光ファイバー（１０）に光学的に接続され、かつ第１の測定用光ファイバー（１０）の少なくとも１つのパラメータの変動を測定するように適合された、光学システム（２０）と、を備える。光学システム（２０）は、ブリルアンタイプの測定原理に従って、第１の光ファイバー（１０）に沿ってパラメータを測定するように適合される。本発明はまた、このようなデバイス（１００）を使用する方法に関する。
2015503737.tif 000002
【特許請求の範囲】
【請求項１】
設備（１）のモニタリングを意図した、水素の検出及び／又は定量解析のためのデバイス（１００）であって、前記デバイス（１００）が、
−前記設備（１）に備えることが意図された第１の測定用光ファイバー（１０）と、
−前記第１の測定用光ファイバー（１０）に光学的に接続され、かつ前記第１の光ファイバーの少なくとも１つのパラメータを測定するのに適した、光学システム（２０）と、
を備え、
前記光学システム（２０）が、ブリルアンタイプの測定原理に従った、前記第１の測定用光ファイバー（１０）に沿った前記第１の光ファイバー（１０）のパラメータの測定に適していることを特徴とする、デバイス（１００）。
【請求項２】
前記第１の光ファイバーのパラメータの測定は、時間領域でのブリルアン光反射率測定、周波数領域でのブリルアン光反射率測定、相関領域でのブリルアン光反射率測定、時間領域での解析によるブリルアン光測定、周波数領域でのブリルアン光測定、及び相関領域での解析によるブリルアン光測定を含む群から選択されたブリルアン測定原理に従って測定される、請求項１に記載のデバイス（１００）。
【請求項３】
前記デバイスは、前記第１の測定用光ファイバー（１０）上の少なくとも１つの位置で前記第１の測定用光ファイバー（１）の少なくとも１つのパラメータの基準測定を行うように適合され、前記基準測定は水素の存在によって影響を受けない、請求項１又は２に記載のデバイス。
【請求項４】
前記光学システム（２０）は、２つの異なる波長で前記第１の光ファイバーに沿った基準測定を行うように適合される、請求項１から３の何れか１項に記載のデバイス（１００）。
【請求項５】
前記第１の測定用光ファイバーが、水素に対して鈍感にされた少なくとも１つの部分を含み、故に、前記部分における前記光学システム（２０）による前記第１の測定用光ファイバー（１０）のパラメータの測定が基準測定を提供する、請求項３に記載の、又は請求項３と組み合わせて請求項１若しくは２に記載のデバイス（１００）。
【請求項６】
前記設備（１）に備えることが意図されながら前記光学システム（２０）に接続される基準光ファイバー（３０）がまた提供され、前記基準光ファイバー（３０）は基準測定を提供するよう意図されている、請求項１又は２に記載のデバイス（１００）。
【請求項７】
前記基準光ファイバー（３０）は、水素に対して低下した敏感性を有するように、好ましくは水素に対して鈍感であるように構成される、請求項６に記載のデバイス（１００）。
【請求項８】
前記設備（１）に備えることが意図されながら前記光学システム（２０）に接続される第２の測定用光ファイバー（１１）がまた提供され、前記第２の測定用光ファイバー（１１）は、前記第１の測定用光ファイバー（１０）とは異なる水素との相互作用を有するように構成される、請求項１から７の何れか１項に記載のデバイス（１００）。
【請求項９】
第２の測定用光ファイバー（１１）は、前記第２の測定用光ファイバー（１１）において水素の拡散を制限するための手段を含む、請求項５に記載のデバイス（１００）。
【請求項１０】
前記第２の測定用光ファイバー（１１）の水素の拡散を制限するための手段は前記第２の測定用光ファイバーのクラッディングを含み、前記クラッディングは水素に対して部分透過性を有する、請求項８に記載のデバイス（１００）。
【請求項１１】
第２の測定用光ファイバー（１１）は、前記光ファイバー（１１）の水素との相互作用を修正するように構成された事前の水素担持を有する、請求項７に記載のデバイス（１００）。
【請求項１２】
１つ又は複数の光測定用ファイバー（１０、１１）及び基準光ファイバー（３０）は、クラスター又はリボンの形態で配置される、請求項５若しくは６に記載の、又は請求項５若しくは６と組み合わせて請求項７から１０の何れか１項に記載のデバイス（１００）。
【請求項１３】
設備のモニタリングのための、水素を検出及び／又は定量解析するための方法であって、前記方法が、
−前記設備に第１の測定用光ファイバーを設置するステップと、
−ブリルアン測定原理に従って、測定用光ファイバーに沿ってパラメータの測定を行うステップと、
−ブリルアン測定原理に従って前記測定用光ファイバーに沿って測定されたパラメータから、前記測定用光ファイバー（１０）における水素をそれぞれ検出及び／又は定量解析するステップと、
からなるステップを含む、方法。
【請求項１４】
請求項１から１２の何れか１項に記載のデバイス（１００）を使用し、
−ブリルアン測定原理に従って前記第１の測定用光ファイバーに沿って前記第１の測定用光ファイバーのパラメータを測定するために、光学システム（２０）を使用するステップと、
−ブリルアン測定原理に従って測定用光ファイバーに沿って測定されたパラメータから、前記第１の測定用光ファイバー（１０）における水素をそれぞれ検出及び／又は定量解析するステップと、
からなるステップを含むことを特徴とする、水素を検出及び／又は定量解析するための方法。
【請求項１５】
請求項３若しくは６に記載の、又は請求項３若しくは６と組み合わせて請求項４から１１の何れか１項に記載のデバイスが使用され、それぞれ検出及び／又は定量解析するステップが、
−前記第１の測定用光ファイバー（１０）に沿った基準測定を行うために、光学システム（２０）を使用するステップと、
−前記基準測定に基づいて、ブリルアン測定原理に従って前記第１の測定用光ファイバー（１０）に沿ってなされた前記第１の測定用光ファイバー（１０）のパラメータの測定を補正するステップと、
−前記基準測定を用いて補正された、ブリルアン測定原理に従った前記第１の測定用光ファイバー（１０）に沿った前記第１の測定用光ファイバー（１０）のパラメータの測定から、前記第１の測定用光ファイバー（１０）における水素の存在をそれぞれ検出及び／又は測定するステップと、
からなるサブステップを含む、請求項１４に記載の方法。
【発明の詳細な説明】
【技術分野】
【０００１】
本発明は、水素の検出及び定量解析の分野に関する。
【０００２】
化学生成物及び／又は放射性生成物の保管施設、地熱掘削、倉庫保管サイト、及び工業タンクなどの設備は、その保管された生成物に関連する水素の放出のリスクにさらされることがあり、これらの水素の放出は爆発性であり、一定の条件下では人間に対して有害であり得る。
【０００３】
これらのリスクを制御するために、かつ生じ得る如何なる水素の放出をも予防的に検出するために、この種の保管施設に水素の検出及び／又は測定に適した化学的検出器を備え付けるのが一般的である。化学生成物又は放射性生成物の長い保管期間（数年）、及び保管構造への接近不可能性により、関連する機器及び水素検出器などの化学的検出器は、明確な安全性の理由のために、長時間にわたって耐久性を有する必要があり、つまり、全保管期間又はその一部にわたって最適な安定性及び敏感性を有する必要がある。さらに、大面積をカバーし、かつ均一でない環境を特性化するために、それらは大量に配置される必要がある。最終的に、測定デバイスは爆発のリスクの側面を考慮に入れる必要があり、また、デバイスの固有の安全性を保証できなければならない。
【０００４】
本発明は従って、より具体的には、水素を検出及び／又は定量解析するためのデバイスに関し、また、水素を検出及び／又は定量解析するための方法に関する。
【背景技術】
【０００５】
モニタリングすべき領域が略１００メートルを超える程度である、化学生成物及び／又は放射性生成物に対する保管サイトなどの設備において、水素の存在をモニタリングする場合、水素センサとして光ファイバーを用いた水素を検出及び／又は定量解析するためのデバイスの使用が知られている。この種のデバイスは、特に、設備の固有の安全性を保証する検出を提供するという利点を有するが、それは、この種のデバイスが多量の水素を含む気体環境において爆発を引き起こし得るスパークのリスクのない光学的測定を使用するからである。
【０００６】
以下及び本文書の残りにおいて、水素は、その原子形態、その分子形態（つまり二水素）、又はそのアイソトープ形態（つまり重水素）である水素を意味する。
【０００７】
従って、特許文献１（ＷＯ２００９／０６７６７１）では、水素を検出及び／又は定量解析するためのこのようなデバイスについて記載されている。特許文献１に記載されているデバイスは、
−モニタリングされるべき領域における、設備に備えることが意図された測定用光ファイバーと、
−光ファイバーに光学的に接続され、かつ明確に規定された波長において前記光ファイバーによる光の吸収の変動を測定するのに適した、光学システムと、
を備える。
【０００８】
このようなデバイスは、光ファイバーでの水素の拡散特性、及びそれから生じる所定の波長における遷移特性の低下を使用する。これは、ファイバーでの水素の吸収が、水酸基ＯＨ及び分子二水素Ｈ２の生成を引き起こし、１０８０、１１８０及び１２４０ｎｍなどの赤外部にある所定の波長を吸収するからである。これらの波長でのファイバーの遷移の減衰は従って、その中にある水素の濃度に直接関連する。
【０００９】
従って、このようなデバイスが、モニタリングされるべき設備において、モニタリングされるべき領域の全体にわたって設置された光ファイバーを備える場合、水素の漏れにより、光吸収の前記測定によって検出され得るセンシング光ファイバーによる水素の一部の吸収を生じさせるであろう。
【００１０】
それにもかかわらず、このようなデバイスは、設備における水素の存在の効果的な検出を提供するが、それは一定数の欠点を有する。これは、このようなデバイスが光ファイバーのエージングに左右され、この状態が完全に知られていないと、それは水素の存在の誤った検出を引き起こし得るからである。これは、特許文献１に記載の発明では、光ファイバーのエージングが近赤外のスペクトル領域で通常均一でない遷移の損失をもたらし、それ故に水素の検出において不確かさが生じるからである。
【００１１】
特許文献２（ＷＯ２００８／１３６８７０）には、水素を検出及び／又は定量解析するための別の種のデバイスであって、測定用光ファイバーが少なくとも１つの内接したブラッグ・グレーティング、つまり、屈折率が周期的に変調されるファイバーの部分と、ブラッグ・グレーティングを受け入れる光ファイバーの部分のターゲットコーティングと、を備える、デバイスについて記載されている。ターゲットコーティングは、水素の吸収に適している。このようなデバイスは、特許文献１に記載されたデバイスと同様に、設備に備えることが意図された測定用光ファイバーと、光ファイバーに光学的に接続された光学システムと、を備える。
【００１２】
このようなデバイスに対する光学システムは、光ファイバーにおいて様々な波長で電磁放射線を放出するように、かつ各内接したブラッグ・グレーティングが前記電磁放射線を反射する波長を測定するように構成される。これは、内接したブラッグ・グレーティングの特徴がターゲットコーティングによって吸収される水素の量に左右されるからである。従って、ブラッグ・グレーティングのうちの１つが反射する波長を測定することによって、対応するコーティングによって吸収される水素の量を決定することが可能である。
【００１３】
従って、このようなシステムがモニタリングされるべき設備に設置され、光ファイバーが内接したブラッグ・グレーティング又はモニタリングされるべき領域全体にわたって設置されているグレーティングを備える場合、内接したブラッグ・グレーティングのうちの１つの近くでの水素の漏れは、このブラッグ・グレーティングによって反射された電磁放射線の波長でのシフトをもたらし、それが生じる点での漏れを検出する。
【００１４】
このようなデバイスは従って、ブラッグ・グレーティングの多重化がある場合に水素漏れの地理的起源を識別する可能性を有して、各内接したブラッグ・グレーティングでの設備における水素の検出を可能にする。
【００１５】
特許文献２に記載されているデバイスは、漏れの地理的起源を識別する可能性を有して、設備における水素の存在の検出を可能にするが、デバイスは一定数の欠点を有する。これは、光ファイバーはブラッグ・グレーティングの内接及び使用される多重化技術に左右されるため、光ファイバーが検出及び／又は定量解析が得られる制限された多くの位置を有するからである。また、特許文献１に記載されているようなターゲットコーティングのエージングは分かっておらず、数年を超える期間にわたる生成物の敏感性の維持に関して不確かさを示していることにも留意すべきである。
【００１６】
さらに、このようなデバイスはまた、光ファイバーの水素への露出の条件による、ブラッグ・グレーティングの消失のリスクも提示する。
【先行技術文献】
【特許文献】
【００１７】
【特許文献１】国際公開第２００９／０６７６７１号
【特許文献２】国際公開第２００８／１３６８７０号
【発明の概要】
【発明が解決しようとする課題】
【００１８】
本発明は、これらの欠点を改善することを目的とする。
【００１９】
本発明の目的の１つは従って、水素を検出するために光ファイバーを使用する、水素を検出及び／又は定量解析するためのデバイスであって、設備のモニタリングされるべき領域を備える場合に水素の存在を検出し、かつ光ファイバーの全長さにわたって連続的にこの水素の源の位置を識別することができる、デバイスを提供することであり、このようなデバイスは、従来技術のデバイスと比較して、光ファイバーのエージングの状態に左右される僅かな水素の検出及び／又は定量解析も提供する必要がある。
【課題を解決するための手段】
【００２０】
この目的を達成するために、本発明は、設備のモニタリングが意図された水素を検出及び／又は定量解析するためのデバイスに関し、前記デバイスは、
−設備に備えることが意図された第１の測定用光ファイバーと、
−第１の測定用光ファイバーに光学的に接続され、かつ第１の光ファイバーの少なくとも１つのパラメータを測定するのに適した、光学システムと、
を備え、
光学システムは、ブリルアンタイプの測定原理に従った、第１の測定用光ファイバーに沿った第１の光ファイバーのパラメータの測定に適している。
【００２１】
従ってこのようなデバイスは、第１の測定用光ファイバーのパラメータを測定するためのブリルアン測定原理を使用することによって、第１の測定用光ファイバーに沿った光学モードの有効伝播率ｎｅｆｆの変動を検出することができ、この変動はブリルアンピーク、故にブリルアンタイプの測定原理に従った測定の間に測定されたパラメータに直接影響を与える。光ファイバーにおける水素の拡散は光学モードの有効伝播率ｎｅｆｆに影響を与え、このような拡散は、屈折率、故にブリルアン測定原理に従って測定されたパラメータに変動をもたらすことによって検出可能となり、このようなデバイスを用いて定量化可能となる。
【００２２】
このような測定は、所定の波長での光ファイバーの遷移の変動に左右されるものとは異なり、光学モードの有効伝播率ｎｅｆｆに左右され、ブリルアンピークの変動のみに関連するが、光ファイバーのエージング状態に対して顕著な依存性を示さない。このようなデバイスは従って、光ファイバーのエージング状態に左右されず、故に長期間にわたって信頼性を保った検出及び／又は定量解析を可能にする。
【００２３】
この測定は、光ファイバーに沿ったブリルアン温度測定と同一の原理に従って、略１０キロメートルを超える距離にわたって１メートル未満の空間分解能で、第１の測定用光ファイバーの全長さにわたって実施できるが、パラメータの変動が生じた正確な点、それ故に水素の拡散が生じた第１の測定用光ファイバーの正確な部分を示すことを可能にする。
【００２４】
このようなデバイスは従って、設備のモニタリングされるべき領域を備える場合、モニタリングされるべき領域における水素源の正確な位置の識別とともに、長期間にわたってこれらの事象のサイトを予測する必要なく、水素源の検出及び定量解析を可能にするが、それは、その測定が測定用光ファイバーのエージングによってほんの僅かにのみ影響を受けるからである。
【００２５】
ブリルアン測定原理に従った測定とは、上記及び本文書の残りにおいて、（ｉ）ブリルアン後方散乱スペクトル（ストークス又はアンチストークス周波数であろうが、主要な（ｐｒｉｎｃｉｐａｌ）又は二次的なピークの場合であろうが、ゼロでない光学モードとのオーバーラップを有する様々な音響モードに関連する）、又は（ｉｉ）ブリルアンゲインに関わる少なくとも１つのパラメータの測定を意味する。このパラメータは例えば、ブリルアン後方散乱現象を生じさせる電磁パルスに対する２つのブリルアン後方散乱ピークのうちの１つの周波数、又はピーク間の周波数、これら２つのブリルアンピークのうちの１つの強度、あるいはそれらの形態（例えばピークの半値全幅）におけるオフセットであり得る。
【００２６】
ブリルアンピークとは、上記及び本文書の残りにおいて、同時のブリルアン後方散乱ピーク及びブリルアンゲインピークの両方を意味し、ピークの種類は、使用されるときにデバイスによって行われるブリルアン測定の種類に直接左右される。従って、例えば、反射率測定原理に従ってブリルアン測定を行うデバイスがある。
【００２７】
第１の光ファイバーのパラメータは、時間領域でのコーディングによる空間分解能法と関連しているブリルアン光反射率測定、周波数領域でのコーディングによる配置方法と関連しているブリルアン光反射率測定、相関領域（ｃｏｒｒｅｌａｔｉｏｎ  ｄｏｍａｉｎ）でのブリルアン光反射率測定、時間領域での解析と関連しているブリルアンゲイン光測定、周波数領域でのブリルアンゲイン光測定、及び相関領域での解析によるブリルアンゲイン光測定を含む方法の群から選択されたブリルアン測定原理に従って測定され得る。
【００２８】
従って、デバイスは、空間分解能、それに沿ってモニタリングが実施される距離、水素検出閾値、及び定量的水素分解能の観点で、モニタリングされるべき設備に関連する要件に応じて適合され得る。
【００２９】
時間領域でのブリルアン光反射率測定、周波数領域でのブリルアン光反射率測定、相関領域でのブリルアン光反射率測定、時間領域での解析によるブリルアン光、周波数領域でのブリルアン光、及び相関領域での解析によるブリルアン光の測定は、それらの英語名及び対応する略称がよく知られており、それぞれ、Ｂｒｉｌｌｏｕｉｎ  Ｏｐｔｉｃａｌ  Ｔｉｍｅ  Ｄｏｍａｉｎ  Ｒｅｆｌｅｃｔｏｍｅｔｒｙ（ＢＯＴＤＲ）、Ｂｒｉｌｌｏｕｉｎ  Ｏｐｔｉｃａｌ  Ｆｒｅｑｕｅｎｃｙ  Ｄｏｍａｉｎ  Ｒｅｆｌｅｃｔｏｍｅｔｒｙ（ＢＯＦＤＲ）、Ｂｒｉｌｌｏｕｉｎ  Ｏｐｔｉｃａｌ  Ｔｉｍｅ  Ｄｏｍａｉｎ  Ａｎａｌｙｓｉｓ（ＢＯＴＤＡ）、Ｂｒｉｌｌｏｕｉｎ  Ｏｐｔｉｃａｌ  Ｔｉｍｅ  Ｆｒｅｑｕｅｎｃｙ  Ｄｏｍａｉｎ  Ａｎａｌｙｓｉｓ（ＢＯＦＤＡ）、及びＢｒｉｌｌｏｕｉｎ  Ｏｐｔｉｃａｌ  Ｃｏｒｒｅｌａｔｉｏｎ  Ｄｏｍａｉｎ（ＢＯＣＤＡ）である。これらの測定は、一般的に光ファイバー温度測定デバイス及び／又は変形（ｄｅｆｏｒｍａｔｉｏｎ）モニタリングデバイスで実施される測定である。
【００３０】
そのデバイスは、第１の測定用光ファイバー上の少なくとも１つの位置で測定用光ファイバーの少なくとも１つのパラメータの基準測定を行うように適合されることができ、前記基準測定は水素の存在によって影響を受けない。
【００３１】
この構成では、第１の測定用光ファイバーのパラメータの測定によって、ブリルアン測定に影響を与えるパラメータがブリルアン測定原理に従ってなされた測定を補正でき、故に、基準測定の間に測定されたパラメータの影響を制限あるいは除外することで、水素の検出及び／又は定量解析を改善することができる。
【００３２】
ブリルアン測定に影響を与えるパラメータは特に、温度、第１の測定用光ファイバーの変形、及び放射線、圧力、相対湿度、並びに大気の含水量であり得る。
【００３３】
光学システムは、２以上の異なる波長で、第１の光ファイバーに沿った基準測定を行うように適合させることができる。これを達成するために、デバイスは、ブリルアンラインが発生するカスケードで、幾つかのポンプレーザーを含むか、又は刺激となり得る。
【００３４】
水素の存在が２つの異なる影響を示す２つの異なるポンプ波長でのパラメータの測定は、この影響が知られている場合、この影響を除去し、かつ水素に敏感でない前記パラメータの基準測定を提供することを可能にする。
【００３５】
光学システムは、測定用光ファイバーに沿った温度及び／又は変形及び／又は上記の他のパラメータの基準測定を提供するために、水素を測定するファイバーに近接して配置された他種の光ファイバーを添加することによって、測定用光ファイバーの少なくとも１つの他の影響パラメータの変動を測定するように適合され得る。
【００３６】
そのデバイスは、ラマン拡散原理であろうがレイリー拡散原理であろうが、他の後方散乱測定に従って第１の光ファイバーに沿った少なくとも１つのパラメータの基準測定を行うように適合され得る。
【００３７】
第１の測定用光ファイバーは、水素に対して鈍感にされた少なくとも１つの部分を含むことがあり、故に、前記部分での光学システムによる第１の測定用光ファイバーのパラメータの測定は、基準測定を提供する。
【００３８】
上記及び本文書の残りの部分において、水素に対して鈍感にされた光ファイバーの部分又は光ファイバーとは、光ファイバーの部分又は光ファイバーが、前記光ファイバーの部分又は前記ファイバーの大気環境における水素の存在が前記光ファイバーの部分又は前記光ファイバーに行われた測定に影響を与えないような構成を有することを意味する。
【００３９】
このような部分は、ブリルアン測定原理に従った第１の測定用光ファイバーのパラメータの測定を補正するために、水素の影響のない基準測定を提供することができる。
【００４０】
設備に備えることが意図されながら光学システムに接続される基準光ファイバーがまた提供され、前記基準光ファイバーは基準測定を提供するよう意図されている。
【００４１】
設備に備えることが意図されながら光学システムに接続される基準光ファイバーがまた提供され、前記基準光ファイバーは、第１の測定用光ファイバーに沿った温度及び／又は変形の基準測定を提供するよう意図されている。
【００４２】
このような基準光ファイバーは、ブリルアン測定原理に従った水素検出及び／又は定量解析測定と干渉し得るパラメータの測定を提供することによって、第１の測定用光ファイバーに沿った前記検出及び／又は定量解析測定を補正することを可能にする。このような補正により、基準光ファイバーになされた基準測定の間に測定されるパラメータの影響を制限又は除外することができる。
【００４３】
基準光ファイバーは、水素に対して低下した敏感性を有するように、優先的には水素に対して鈍感であるように構成され得る。
【００４４】
基準光ファイバーの水素に対するこのような低下した敏感性、又は鈍感性により、基準光ファイバーを用いて得られる基準測定における水素の影響を低減あるいは無効にすることができる。
【００４５】
基準光ファイバーは、コアと、基準光ファイバーが水素に対して低下した、優先的にはゼロである敏感性を有するようにその材料が構成されたクラッディングと、を含むことができる。
【００４６】
この可能性によると、コア及び／又はクラッディングは、シリコン若しくはカルコゲニドをベースとするガラス、又は空気若しくは液体で充填された空隙（「孔を有するファイバー」）であり得る。
【００４７】
基準光ファイバーは、コアと、基準光ファイバーが水素に対して低下した、優先的にはゼロである敏感性を有するようにドーピング元素の拡散が構成されたクラッディングと、を含むことができる。
【００４８】
基準光ファイバーは、基準光ファイバーにおいて水素の拡散を制限するように適合されたコーティングを含むことができる。
【００４９】
設備に備えることが意図されながら光学システムに接続される第２の測定用光ファイバーがまた提供され、前記第２の測定用光ファイバーは、第１の測定用光ファイバーとは異なる水素との相互作用を有するように構成される。
【００５０】
従って、このような第２の測定用光ファイバーにより、デバイスは、水素との相互作用が異なり、前記相互作用の差異に従って、単一の測定用光ファイバーを有するデバイスよりも広大な範囲にわたる一時的な情報又は最適化された敏感性などの、検出された水素源上の補助的な情報を提供することができる、２つの測定へのアクセスを可能にする。
【００５１】
第２の測定用光ファイバーは、前記第２の測定用光ファイバーにおいて水素の拡散を制限するための手段を含むことができる。
【００５２】
このような拡散を制限するための手段は、水素が光ファイバーに入る速度を低下させ、故に、検出される水素を生じさせる水素源の一時的な情報を提供する。
【００５３】
第２の測定用光ファイバーの水素の拡散を制限するための手段は、前記第２の測定用光ファイバーのコーティングを含むことができ、前記コーティングは、水素に対して部分透過性（ｐａｒｔｉａｌ  ｐｅｒｍｅａｂｉｌｉｔｙ）を有する。
【００５４】
水素に対する部分透過性とは、前記光ファイバーにおける拡散を完全に除去することなしに、前記コーティングを備えた光ファイバー内への水素の浸透を制限するようにコーティングが適合されることを意味する。
【００５５】
このようなコーティングは、第２の測定用光ファイバーの光学特性への影響が低いか、あるいはゼロである、第２の測定用光ファイバーにおける水素の拡散を制限するための手段を提供する。
【００５６】
第２の測定用光ファイバーの水素の拡散を制限するための手段は、その内部構造がそのドーパントの選択によって、そのガラスマトリックスの選択によって、又は前記第２の測定用光ファイバーの水素に対する敏感性を増加させるように構成された事前の水素担持（ｐｒｉｏｒ  ｈｙｄｒｏｇｅｎ  ｌｏａｄｉｎｇ）など、若しくは例えばガンマ及び／又はＵＶ放射線などのイオン化放射線担持などの前処理によって修正された、光ファイバーの選択であり得る。
【００５７】
これらの前処理により、水素検出の閾値を変更し、故にこのような第２の測定用光ファイバーでなされた測定から得られる検出及び／又は定量解析の敏感性を変更することができる。
【００５８】
これらの特定の前処理及び（性質、並びに第１及び第２のコーティングの観点からの）光ファイバーの選択は、水素吸収の飽和閾値を変更する。
【００５９】
第２の測定用光ファイバーは、前記光ファイバーの水素との相互作用を修正するように構成された事前の水素担持を有することができる。
【００６０】
１つ又は複数の測定用光ファイバー及び基準光ファイバーは、クラスター又はリボンの形態で配置され得る。
【００６１】
互いに対するこのような光ファイバーの配置により、熱的な観点から、並びに応力、圧力、及びそれらがさらされる放射線レベルの観点から、全ての光ファイバーに対して同一の環境を提供することができる。従って、基準光ファイバーを備えるデバイスでは、基準測定は、水素の検出及び／又は定量解析に用いられるのと同一の条件下で実施される。同様に、第２の測定用光ファイバーを備えるデバイスでは、第１及び第２の測定用光ファイバーによってなされる測定は互いに同等である。
【００６２】
本発明はまた、設備のモニタリングのための、水素を検出及び／又は定量解析するための方法に関し、前記方法は、
−設備に第１の測定用光ファイバーを設置するステップと、
−ブリルアン測定原理に従って、測定用光ファイバーに沿ってパラメータの測定を行うステップと、
からなるステップを含む。
【００６３】
本発明はまた、本発明によるデバイスを用いて水素を検出及び／又は定量解析するための方法に関し、
−ブリルアン測定原理に従って第１の測定用光ファイバーに沿って第１の測定用光ファイバーのパラメータを測定するために、光学システムを使用するステップと、
−ブリルアン測定原理に従って測定用光ファイバーに沿って測定されたパラメータから、測定用光ファイバーにおける水素をそれぞれ検出及び／又は定量解析するステップと、
からなるステップを含む。
【００６４】
このような方法は、設備のモニタリングされるべき領域がどの程度であろうと、設備における水素の検出及び／又は定量解析を結果としてもたらすことができる。また、水素の存在を検出する場合、水素の検出が行われる第１の測定用光ファイバーに沿った点を識別することができる。
【００６５】
基準測定を行うように適合されたデバイスが使用され得、水素を検出及び／又は定量解析するためのそれぞれのステップは、
−第１の測定用光ファイバーに沿った基準測定を行うために、光学システムを使用するステップと、
−基準測定に基づいて、ブリルアン測定原理に従って第１の測定用光ファイバーに沿ってなされた第１の測定用光ファイバーのパラメータの測定を補正するステップと、
−基準測定を用いて補正された、ブリルアン測定原理に従った第１の測定用光ファイバーに沿った第１の測定用光ファイバーのパラメータの測定から、第１の測定用光ファイバーにおける水素の存在をそれぞれ検出及び／又は測定するステップと、
からなるサブステップを含む。
【００６６】
率（ｉｎｄｅｘ）変動測定を補正するこのようなステップを含む方法は、例えば温度の変化に関連し得る水素の存在の誤った検出のリスクを制限する。
【００６７】
本発明は、添付の図面を参照して、純粋に例示の目的で提示され制限的ではない実施例の説明を読むことで、より良く理解されよう。
【図面の簡単な説明】
【００６８】
【図１】単一の測定用光ファイバーが提供され、前記システムはブリルアン原理に従った反射率測定を行うように適合された光学システムを含む、本発明によるデバイスの概略図である。
【図２】多量の水素の存在下に第１の測定用光ファイバーが配置されたとき、及び前記第１の測定用光ファイバーから水素を脱気した後、のそれぞれで、図１に示されたデバイスをそれぞれ使用して得られた同一のブリルアン後方散乱ピークの２つのスペクトルを示す図面である。
【図３】２つの同一のブリルアンピークをともに有する２つのブリルアン測定スペクトルを示す図面であり、これらの２つのスペクトルはそれぞれ、図１に示されたデバイスで得られ、これはそれぞれ、３２％の水素を含む雰囲気にデバイスの第１の測定用光ファイバーを露出する前及び後である、図面である。
【図４】図３に示されたスペクトルのメインのブリルアンピークを中心とした拡大図面である。
【図５】図３に示されたスペクトルの二次的なブリルアンピークを中心とした拡大図面である。
【図６】２つのタイプの第１の測定用光ファイバー及び水素に対して鈍感にされた光ファイバーにおける、図１に示されたデバイスでのブリルアン測定の間の、大気水素の比率に対するメインのピークの周波数の変動を示す図面である。
【図７】単一の測定用光ファイバーが提供され、前記システムがブリルアン原理に従って光解析測定を行うように適合された光学システムを含む、本発明によるデバイスを示す図面である。
【図８】デバイスが測定用光ファイバー及び基準光ファイバーを含み、光学システムがブリルアン測定原理に従って反射率測定を行うように適合された、本発明の第２実施形態によるデバイスを示す図面である。
【図９】デバイスが互いに接続された測定用光ファイバー及び基準光ファイバーを含み、光学システムが測定用光ファイバー及び基準光ファイバーによって形成されたループに沿ってブリルアン測定原理に従った解析測定を行うように適合された、本発明の第２実施形態によるデバイスを示す図面である。
【図１０】デバイスが互いに独立して光学システムに接続された測定用光ファイバー及び基準光ファイバーを含み、光学システムが測定用光ファイバー及び基準光ファイバーに沿ってブリルアン測定原理に従った解析測定を行うように適合された、本発明の第２実施形態によるデバイスを示す図面である。
【図１１】デバイスが第１及び第２測定用光ファイバー並びに基準光ファイバーを含み、光学システムが第１及び第２測定用光ファイバー並びに基準光ファイバーに沿ってブリルアン測定原理に従った反射率測定を行うように適合された、本発明の第３実施形態によるデバイスを示す図面である。
【発明を実施するための形態】
【００６９】
様々な図面の同一の、同様の、又は等価の部分は、１つの図面から別の図面へ移行し易くするために、同一の数値番号で示される。
【００７０】
図面に示される様々な部分は、図面をより読みやすくするために、必ずしも均一の縮尺通りではない。
【００７１】
様々な可能性（変形物及び実施形態）は、互いに排他的であるとして理解されてはならず、互いに結合され得る。
【００７２】
図１は、化学生成物及び／又は放射性生成物のための保管施設、地熱掘削、保管サイト、又は工業タンクなどの設備１のモニタリングされるべき領域に備える、水素の検出及び／又は定量解析のためのデバイス１００を示す。図１に示されたデバイス１００は、本発明の第１実施形態によるデバイスである。図１は、デバイスの構成が反射率測定原理に従ったブリルアン測定を行うように適合された、この第１実施形態の第１の可能性を示す。
【００７３】
このようなデバイス１００は、
−設備１に備える、第１の測定用光ファイバー１０と、
−第１の測定用光ファイバー１０に接続され、かつブリルアン測定を行うように適合された、光学システム２０と、
を含む。
【００７４】
図１に示された構成によるデバイスでは、光学システムが反射率測定配置での測定に対して適合され、光ファイバーがその端部の１つのみによってシステムに接続されることに留意すべきである。
【００７５】
第１の測定用光ファイバー１０は、光学システム２０の動作波長に適合された光ファイバーである。光ファイバーは例えば、ブリルアン温度測定を行うのに通常使用されるものと同様であり得る。
【００７６】
低下したアクセス可能性を有する設備に対して、第１の光ファイバーは優先的に、如何なるメンテナンスも必要とせずに、数十年を超え得る耐久性を有し、かつ安定した測定を可能とするように適合される。
【００７７】
第１の測定用光ファイバー１０は通常、コアと、光学クラッディング（ｏｐｔｉｃａｌ  ｃｌａｄｄｉｎｇ）と、保護コーティングと、を含む。コア及びクラッディングは、二酸化ケイ素から作られることができ、コア内に光を閉じ込めるように、コアはクラッディングよりも高い屈折率を有する。勾配した率を有する単一モードの光ファイバーもまた適している。屈折率の変化は、例えばゲルマニウム、リン、フッ素、アルミニウムなど、このタイプの用途に通常使用されるドーピング元素を組み込むことによって得られ得る。コーティングは、第１の測定用光ファイバー１０が設置される条件に関係し得る第１の測定用光ファイバー１０へのダメージを制限するために、操作条件に適合され得る。第１の測定用光ファイバー１０にとって不利な条件を有さない設備に対するこのようなコーティングは例えば、アクリレート又はポリイミドなどの単純なプラスチックコーティングであり得る。
【００７８】
第１の光ファイバーのコーティングはまた、例えばパラジウムコーティングなどの、具体的に水素に対する敏感性を増加させるように適合されたコーティングであり得る。光ファイバーはまた、例えばカルコゲニドをベースとするガラスなどの、特定のガラスで構成され得る。「孔を有するファイバー」（空隙を残すことによって製造される−場合によっては続いて充填される）もまた適している。
【００７９】
第１の測定用光ファイバー１０は、光学システム２０が放出する波長において、電磁放射線を導くのに適している。
【００８０】
第１の測定用光ファイバー１０は、そのラジウム（ｒａｄｉｕｍ）に沿ってドーピング元素の比率を調整することによってブリルアン後方散乱スペクトル又はブリリオンゲイン（Ｂｒｉｌｌｉｏｎ  ｇａｉｎ）が容易に測定できるような適合性を有し得る。このような適合性によって、第１の測定用光ファイバー１０は特に、ブリルアンラインを生じさせる様々な音響モードを有することができ、ブリルアンラインはスペクトル的に分離しているか、又は光ファイバーにおける水素の拡散と実質的に同一の方法で変化する。
【００８１】
第１の測定用光ファイバー１０に加えられる力の影響を制限するために、第１の測定用光ファイバー１０は、第１の測定用光ファイバー１０がさらされる力を低減するように、（英語「ルーズチューブ（ｌｏｏｓｅ  ｔｕｂｅ）」としても知られている）浮遊中間シース（ｆｌｏａｔｉｎｇ  ｉｎｔｅｒｍｅｄｉａｔｅ  ｓｈｅａｔｈ）を備えていることがある。このように、このような力が水素の検出に与えることのある影響は制限される。
【００８２】
第１の測定用光ファイバー１０は、モニタリングされるべき領域にわたって、その設備に配置される。この配備は、モニタリングされるべき領域の最大表面積をカバーし、故に前記領域における水素の如何なる漏れも放出も検出することを保証するために実施される。
【００８３】
第１の測定用光ファイバー１０は、第１及び第２端を備え、第１端は、図１．ｄ．に示されるような構成における反射率測定タイプのブリルアン測定では、光学システム２０に接続される。
【００８４】
光学システム２０は、第１の測定用光ファイバーに沿った空間分解能法で、ブリルアン測定を行うのに適した光学システムである。
【００８５】
光学システムは、ブリルアン測定のタイプに応じて適合される。従って、図１に示される構成において、光学システムは、ブリルアン光時間領域反射率測定（英語の略語ＢＯＴＤＲ）、ブリルアン光周波数領域反射率測定（英語の略語ＢＯＦＤＲ）、及びブリルアン光相関領域反射率測定（ＢＯＣＤＲ）などのブリルアン反射率測定を行うように適合される。
【００８６】
これを達成するために、光学システム２０は、
−少なくとも１つの電磁放射線を放出するのに適した、レーザーなどの発光手段２１と、
−スペクトル解析システム、ゲイン解析システム、又はロス解析システムなどの、電磁放射線を検出かつ測定するのに適した光学的測定手段２２と、
−放出手段及び測定手段を制御し、かつ測定手段２２が行う測定を解析するのに適した、制御及び解析手段２３と、
を備える。
【００８７】
放出手段２１は通常、その波長が本発明の可能性に従って固定され得るか、又は調節可能となり得るレーザーを含む。ブリルアン測定タイプに従ったその手段は、連続して又はパルスで放出する１つ又は複数のレーザーを含むことができる。これ又はこれらのレーザーのうち、１つのレーザーは主要（ｐｒｉｎｃｉｐａｌ）と考えられ、ポンプとも呼ばれ、主要な波長で主要な放射線を放出する。
【００８８】
求められた用途に対して、放出手段の主要な放出波長は、ブリルアン温度測定原理に従った測定温度に通常使用される波長である。水素の存在に対して最大敏感度を得るために、主要な放出波長は、水素の拡散が最大敏感度を示す、国際公開第２００９／０６７６７１号に記載されたような波長範囲内で選択され得る。この原理によると、放出波長は略１．２μｍであり得る。
【００８９】
測定手段２２は、典型的に略１０ＧＨｚ付近で、通常９〜１３ＧＨｚの間である放出手段によって放出される波長に非常に近い波長で、電磁放射線を検出及び／又は測定するのに適している。このような測定手段２２は、ブリルアン測定のタイプに適している。従って、例えば、ＢＯＴＤＲ測定を行うのに適した光学システムでは、測定手段はスペクトル解析手段である。このタイプの測定手段２２はまた、ブリルアン光ファイバー温度センサで知られているため、本文書においてさらに詳細には説明しない。
【００９０】
制御及び解析手段２３は、ブリルアン測定原理に従って第１の測定用光ファイバー１０のパラメータの測定を行うように、放出手段２１及び測定手段２２を制御するのに適している。このような適合性を有する制御及び解析手段２３は、適切な電磁放射線を放出するように放出手段２１を制御することができ、また、ブリルアン後方散乱であろうとゲインであろうとロスであろうと、電磁放射線が通過するときに第１の測定用光ファイバー１０に沿って起こるブリルアン現象から生じる電磁放射線を検出しかつ測定するように、測定手段２２を制御することができる。
【００９１】
このような制御及び解析手段２３の適合性は、ブリルアンタイプの光ファイバーセンサによる温度測定の間に使用されるものと同一であるため、本文書においてさらに詳細には説明しない。
【００９２】
制御及び解析手段２３はまた、第１の測定用光ファイバー上の点での水素の滞在的拡散を識別するように、この同一の光ファイバー１０上の点での光学モードの有効伝播率ｎｅｆｆの変動を検出するために、検出手段２２によって行われる測定を解析するのに適している。
【００９３】
設備が局所的に又は全体的に変動し得る温度を有する本発明の可能性によると、このような変動は第１の測定用光ファイバー１０に沿ったブリルアン測定において変動をもたらすことができ、デバイスは基準測定を提供するように、第１の測定用光ファイバー１０上の少なくとも１つの位置においてパラメータを測定するように適合され得、この基準測定は好ましくは、第１の測定用光ファイバー１０の温度及び／又は変形の測定である。
【００９４】
この可能性によると、このような測定は、基準測定としての役割を果たすために、水素の存在によって影響を受けてはいけない。このような条件は例えば、文献：国際公開第２０１１／１１５６８６号に記載されたようなブリルアン測定以外であり得る測定を用いて、放出手段２２の２つの異なる放出波長を使用した測定を用いた、第１の光ファイバーに沿った温度測定を使用して得られ得る。
【００９５】
この同一の可能性によると、第１の測定用光ファイバー１０は、その全長さにわたって規則的に分散された水素に対して鈍感にされた部分を有することができ、水素に対して鈍感にされていない第１の測定用ファイバー１０の部分に沿った測定を補正するための基準測定を提供する役割を果たすことができる。鈍感にされた部分は、文献：欧州特許出願公開第１１９５６２８号明細書（ＥＰ１１９５６２８）に記載された原理に従って光ファイバーの構成自身を修正することによって、又は文献：欧州特許出願公開第１４２６８０４号明細書（ＥＰ１４２６８０４）に記載されたような前記部分の表面上の適切なコーティングの存在によって、そのようになされ得る。
【００９６】
図２は、この第１実施形態によるデバイス１００の使用中になされる測定の一例を示す。Ｙ軸は、任意のユニットにおける後方散乱電磁放射線の強度の大きさＡを表し、Ｘ軸は、放出手段２１によって放出された放射線に対する後方散乱放射線のシフト周波数ｆ（ＭＨｚ）を表す。このデバイス１００の使用の間、第１の測定用光ファイバー１０は、水素で光ファイバーを飽和するように、７日間にわたって高い水素圧（１５０ｂａｒ）の存在下に配置された。次いで、第１の測定用光ファイバー１０は、同一時間空気に戻され、故に、水素は第１の測定用光ファイバー１０から脱気された。この図面に示される第１のスペクトル２０２及び第２のスペクトル２０１はそれぞれ、７日間の露出の最後、及び空気に戻されて配置された時間の最後にもたらされた。
【００９７】
従って、第１のスペクトル２０２は、第１の測定用光ファイバー１０の水素での飽和に相当するブリルアン後方散乱ピークの周波数シフトを示し、一方で、第２のスペクトル２０１は、前記第１の測定用光ファイバー１０において水素の不在下で観察されたブリルアン後方散乱ピークに相当する。
【００９８】
従ってこの図面では、第１の測定用光ファイバー１０が水素と接触して配置される場合に、水素の拡散がブリルアン周波数の増加及びそのピークの強度の低下をもたらすことを見ることができる。この２重の影響は、以下の式：
【数１】
2015503737.tif 000003
（ここで、νＢはブリルアンシフト周波数であり、Ｖａは音波の速度、つまりブリルアン後方散乱現象をもたらす光子の速度であり、λは放出される電磁放射線の波長である）に従ってブリルアン周波数シフトに生じる光学モードの有効伝播率ｎｅｆｆの変化に直接的に関連する。
【００９９】
図２に提示された測定は、光学波の有効伝播率ｎｅｆｆの変動を検出及び／又は評価するために制御及び解析手段を適合させる様々な可能性を示す。これは、屈折率の変動の検出及び／又は評価が、
−ａ）主要なピーク又は二次的なピークのブリルアン周波数の変動の直接的な測定、
−ｂ）主要なピーク又は二次的なピークのうちの１つのブリルアンピークの強度の測定、
−ｃ）強度の低下が周波数シフト及びブリルアンピークの強度の低下の両方に関連し得るという最近の可能性に従った、水素の不在下での主要なブリルアンピーク又は二次的なピークのうちの１つと実質的に対応する所定の周波数での強度の測定
の何れかによって得られ得るからである。
【０１００】
図３、及び図４及び５に提示されるその拡大図は、主要なブリルアンピーク及び二次的なブリルアンピークの両方で機能する可能性を示す。図４及び５は、主要な及び二次的なブリルアンピークのそれぞれの周波数を中心とした、図３の拡大図である。
【０１０１】
図３から５では、Ｙ軸は、任意のユニットにおける後方散乱電磁放射線の強度の大きさＡを表し、Ｘ軸は、放出手段２１によって放出された放射線に対する後方散乱放射線の周波数ｆ（これは、図３ではＧＨｚであり、図４及び５ではＭＨｚである）を表す。
【０１０２】
図３から５に現れる測定は、第１の測定用光ファイバー１０がそれぞれ３２％と０％の水素を含む雰囲気に接触して配置されたときに得られるブリルアンタイプの２つの測定２１１及び２１２である。従って、水素と接触した第１の測定用光ファイバー１０のこの配置の間、水素の拡散がメイン及び二次的なブリルアンピークの両方の強度のシフト及び変動をもたらすことを見ることができる。従って測定システム２２は、主要なピーク又は二次的なピークのうちの１つの何れか、あるいは主要なピーク及び１以上の二次的なピークの両方で、ブリルアン測定を実施するように適合され得る。
【０１０３】
従って、設備にデバイスが備え付けられた後、水素の検出及び／又は定量解析は、
−ブリルアン測定原理に従って、第１の測定用光ファイバー１０に沿った第１の測定用光ファイバー１０のパラメータの変動を測定するために、光学システムを使用するステップと、
−第１の測定用光ファイバー１０に沿ったブリルアン測定原理に従った測定を用いて、第１の測定用光ファイバー１０において水素を検出及び／又は定量解析するステップと、
からなるステップを含む方法に従って実施される。
【０１０４】
基準測定を行うように適合された光学システムでは、第１の測定用光ファイバー１０において水素の存在を測定及び／又は検出することからなるステップは、
−第１の測定用光ファイバー１０に沿って基準測定を行うために光学システムを使用するステップと、
−基準測定に基づいて、第１の測定用光ファイバー１０に沿った測定用光ファイバー１０のパラメータの変動の測定を補正するステップと、
−第１の測定用光ファイバー１０に沿った補正されたブリルアン測定の原理に従ったパラメータの測定を用いて、第１の測定用光ファイバー１０において水素を検出及び／又は定量解析するステップと、
からなるサブステップを含む。
【０１０５】
基準測定を行うために光学システムを使用するステップでは、前記測定は、基準測定が水素に対して鈍感にされた第１の測定用光ファイバー１０の部分を用いて得られる場合、第１の測定用光ファイバー１０に沿った光学モードの有効伝播率ｎｅｆｆの変動の測定と同時に行われ得る。
【０１０６】
光ファイバー上の位置において吸収される水素の量の精確な測定のために、デバイス１００をキャリブレートする事前のステップを提供することも必要であることに留意されたい。
【０１０７】
図６は、３つの異なる光ファイバーに対するこのようなステップを示す一例であり、１番目はフッ素をベースとするドーピングを含み、２番目はゲルマニウムをベースとするドーピングを含み、３番目は、続いて見られるように、水素に対して鈍感にされている。
【０１０８】
図６において、Ｙ軸は、放出手段２１によって放出された放射線に対する後方散乱放射線のシフト周波数ｆ（ＭＨｚ）を表し、Ｘ軸は、光ファイバーがさらされている水素の量を表す。
【０１０９】
従って、図６では、２つの光ファイバーが同様の外観の主要なブリルアンピークの周波数シフトの変動を示す場合に、これら２つのファイバーが同一の水素との相互作用を有さないことを見ることができ、このことは、本発明によるデバイスにおいて水素の量の精確な測定を得るために、このようなキャリブレーションステップが必要であることを明示する。さらに、図６に示される測定はまた、光ファイバーがさらされる水素の量に対してブリルアン測定に応じて測定されたパラメータの変動が非線形であることを示す。
【０１１０】
このようなキャリブレーションステップは当業者には身近であるため、本文書においてさらに詳細には説明しない。
【０１１１】
図７は、デバイス１００の構成が、時間、周波数、又は相関領域における解析によって実施されるブリルアン測定を行うように適合される、第１実施形態の第２の可能性によるデバイス１００を示す。
【０１１２】
このような構成は、ブリルアン光時間領域解析（ＢＯＴＤＡ）測定、ブリルアン光周波数領域解析（ＢＯＦＤＡ）測定、又はブリルアン光相関領域解析（ＢＯＣＤＡ）測定であるブリルアン測定の原理に従ってパラメータの測定を行うデバイスに対して適合される。
【０１１３】
この第１実施形態の第２の可能性によるデバイスは、光ファイバーから出る電磁放射線の解析を可能にするために第１の測定用光ファイバー１０が両端で光学システムに接続されるという点で、第１の可能性によるシステムとは区別される。光ファイバー２０は、対応領域（つまり、時間、周波数、又は相関）での解析によってブリルアン測定を行う光ファイバー温度センサの光学システムと同様の構造を有する。
【０１１４】
第１の可能性による構造を有するデバイスに関して、第１の光ファイバーの一部分は水素に対して鈍感にされ得る。このような一部分は有利には、第１の測定用光ファイバーの後半部分である。従って、その前半部分に沿って第１の測定用光ファイバー１０の後半部分を設置することによって、第１の測定用光ファイバー１０の前半部分の全長さにわたって基準測定を行うことが可能になる。
【０１１５】
図８は、基準光ファイバー３０が提供されている第２実施形態によるデバイスを示す。図８は、デバイスの構成が反射率測定原理に従ってブリルアン測定を行うように適合された第２実施形態の第１の可能性を示す。
【０１１６】
第２実施形態によるデバイスは、それが光学システムに接続された基準光ファイバー３０を備え、また、光学システム２０が基準光ファイバー３０に沿って基準測定を行うように適合されるという点で、第１実施形態によるデバイスとは区別される。
【０１１７】
この第２実施形態の第１の可能性によると、基準光ファイバー３０は、水素に対して低下した敏感性を有するように構成された光ファイバーである。このような基準光ファイバー３０の構成は、文献：欧州特許出願公開第１１９５６２８号明細書（ＥＰ１１９５６２８）に記載の原理に従ったファイバー自体の修正された構成によって、又は文献：欧州特許出願公開第１４２６８０４号明細書（ＥＰ１４２６８０４）に記載されたような基準光ファイバーの表面上の適切なコーティングの存在によって、得られ得る。
【０１１８】
基準光ファイバー３０は優先的に、第１の測定用光ファイバー１０に沿った光学モードの有効伝播率ｎｅｆｆの変動の測定の補正を促進するために、第１の測定用光ファイバー１０と同様の特徴を有する。
【０１１９】
第１の測定用光ファイバー１０及び基準光ファイバー３０は、設備にデバイスが備え付けられるときに、並んで取り付けられる。このような設備への装着を促進するために、第１の測定用光ファイバー１０及び基準ファイバー３０は、ファイバーのクラスターの形態で、又はリボンの形態で配置され得る。
【０１２０】
基準光ファイバー３０は、光学システムの一端で接続される。
【０１２１】
光学システム２０は優先的に、第１の測定用光ファイバー１０に沿ったブリルアン測定に従ったパラメータの測定と同一の条件下で、基準光ファイバー３０に沿ったブリルアン測定に従ったパラメータの変動の測定（基準測定とも呼ばれる）を行うように適合される。本発明の範囲から逸脱することなく、基準光ファイバー３０に沿って測定されたこのパラメータのみに関連するブリルアン測定原理に従って、測定用光ファイバー１０に沿って測定されたパラメータの変動を補正するように、基準光ファイバー３０に沿って温度などのパラメータを測定するように光学システムを適合させることも可能である。
【０１２２】
第１の基準光ファイバーが浮遊中間シースを備えている本発明の可能性によると、基準光ファイバーもまたこのような装備に備えることができる。
【０１２３】
この第２実施形態によるデバイスの使用は、第１の測定用光ファイバー１０に沿ったパラメータの基準測定及び補正測定を行うために光学システム２０を使用するステップを含む第１実施形態によるデバイスの使用と類似している。
【０１２４】
図９及び１０はそれぞれ、デバイス１００の構成が、時間、周波数、又は相関領域における解析によってなされるブリルアン測定を行うように適合された、第２実施形態の第２及び第３の可能性を示す。
【０１２５】
このような第２実施形態の第２及び第３の可能性は、光ファイバーから出る放射線の解析を可能にするように第１の測定用光ファイバー１０が両端で光学システム２０に接続されるという点で、第２実施形態によるシステムの第１の可能性とは区別される。光学システム２０は、対応領域（つまり、時間、周波数、又は相関）における解析によってブリルアン測定を行う光ファイバー温度センサの光学システムと類似の構成を有する。
【０１２６】
図９は、第１の測定用光ファイバー１０が光学システム２０に接続されていないその端部で基準光ファイバー３０の端部に光学的に結合される可能性を示す。第１の測定用光ファイバー１０に接続されていない基準光ファイバーの端部は、光学システム２０に接続される。従って、これにより、光ファイバーの後半部分が水素に対して鈍感にされた第１実施形態の第２の可能性と同様の構成が提供される。
【０１２７】
図１０は、第１の測定用光ファイバー１０と基準光ファイバー３０とが互いに独立して光学システム１０に接続される、第２実施形態の第３の可能性を示す。光学システムは、第２実施形態の第１の可能性に関して、第１の測定用光ファイバー１０に沿ったパラメータの測定及び基準光ファイバー２０を用いた基準測定を独立して行うように適合される。
【０１２８】
図１１は、デバイスが第２の測定用ファイバー１１を備える第３実施形態によるデバイスを示す。
【０１２９】
デバイス１００は、図１１に示されるように、また、第１及び第２実施形態の第１の可能性と同様に、反射率測定原理に従ってブリルアン測定を行うのに適した構成を有する。
【０１３０】
第３実施形態によるデバイスは、それが第１の測定用光ファイバー１０とは異なる水素との相互作用を有する第２の測定用光ファイバー１１を備えるという点で、第２実施形態によるデバイスとは区別される。光学システムはさらに、第２の測定用光ファイバー１１に沿ってブリルアン測定に従ったパラメータの測定を行うように適合されるが、このパラメータは、第１の測定用光ファイバー１０に沿って測定されるものと同一である。
【０１３１】
第２の測定用光ファイバー１１は、様々なタイプであり得る水素との異なる相互作用を有する。
【０１３２】
第１の測定用光ファイバー１０とは異なる相互作用の第１タイプは、第２の測定用光ファイバー１１における水素の低下した拡散である。このような相互作用は、水素に対して部分透過性を有する第２の測定用光ファイバー１１の適切なコーティングなどの拡散バリアを用いて得られ得る。このようなコーティングは、厚さ及び密度などのその特徴が第２の測定用光ファイバー１１における水素の拡散を完全に排除することなくそれを低下させるように選択された、カーボンのコーティングであり得る。このようなコーティングの効果は、図６において見ることができ、それは、このようなコーティングを用いて水素に対して鈍感にされた光ファイバーに対するブリルアンピークの周波数シフト２２３が一定であり、かつ水素の存在によって影響を受けないことを示す。
【０１３３】
第１の測定用光ファイバー１０とは異なる相互作用の第２タイプは、水素に対する第２の測定用光ファイバー１１の低下した敏感性である。このような第２の測定用光ファイバー１１の低下した敏感性は、第１の測定用光ファイバー１０とは異なる第２の測定用光ファイバー１１の構成で得られ得る。構成のこのような違いは例えば、文献：欧州特許出願公開第１１９５６２８号明細書（ＥＰ１１９５６２８）に記載されたような、光ファイバーのコア及び／又はクラッディングの変更された組成である。
【０１３４】
必然的に、かつ欧州特許出願公開第１１９５６２８号明細書における記載とは対照的に、第２の測定用光ファイバー１１のこれらの様々な部分の組成は、前記光ファイバー１１がゼロではない水素に対する敏感性を有するように適合される。その原理によると、異なるその構成を使用することによって水素に対する第２の測定用光ファイバー１１の敏感性が増加することもまた予測できることにも留意されたい。
【０１３５】
異なる相互作用の第３タイプは、例えば光ファイバーのコア及びクラッディングを形成する材料（例えばシリカ）を圧縮することによって得られる、同量の水素に対する光学モードの有効伝播率ｎｅｆｆの変動である。この異なる相互作用の第３タイプはまた、水素又は重水素での第２の測定用光ファイバー１１の事前担持（ｐｒｅｌｏａｄｉｎｇ）によって得られることがあり、この事前担持は、例えば紫外線放射処理によって確定となる。
【０１３６】
従って、第１の測定用光ファイバー及び第２の測定用光ファイバー１１によって吸収される同量の水素に関し、第２の測定用光ファイバー１１は、吸収される水素の量が添加される水素での事前担持と同等の有効光伝播率の変動を有する。光学モードの有効伝播率ｎｅｆｆの変動は図６に示されるように線形ではないため、第２の測定用光ファイバー１１は吸収される水素の量に従って、結果として異なる敏感性を有することになる。
【０１３７】
従って、第１の測定用光ファイバー１０とは異なる水素との相互作用を有する第２の測定用光ファイバー１１は、第１の測定用光ファイバー１０によって供給される測定と相補的な測定を提供することを可能にする。
【０１３８】
第２の測定用光ファイバー１１が第１の測定用光ファイバー１０とは異なる敏感性を有する場合、それがその構成のおかげか水素での事前給気（ｐｒｅ−ｃｈａｒｇｉｎｇ）のおかげであるかに関わらず、デバイスはそして、そこで水素が検出及び／又は定量解析され得、第１及び第２の測定用光ファイバー１０、１１によって提供される範囲を組み合わせることによって広げられた範囲を有する。
【０１３９】
第２の測定用光ファイバー１１が水素の拡散の低下を有する場合、この差異は、前記第２の測定用光ファイバー１１において水素の低下された拡散速度を引き起こす。その結果、第１及び第２の測定用光ファイバー１０、１１の間の測定の差異により、設備において水素源の時間情報を得ることが可能になる。
【０１４０】
必然的に、この第３実施形態によると、第１及び第２の測定用光ファイバー１０、１１をデバイスの設備の状態に適合させることによって、第１及び第２の測定用光ファイバー１０、１１の間の相互作用のこれらの様々なタイプの差異を組み合わせることができる。
【０１４１】
第３実施形態と同様の原理によると、デバイスがそこで水素が検出及び／又は定量解析され得る幅広い範囲を有することを可能にするように、又は様々なタイプの水素との相互作用の利点を組み合わせるように、２つ以上の測定用光ファイバーを組み合わせることもまた可能である。
【０１４２】
必然的に、このような実施形態は、デバイスの構成が反射率測定原理に従ってブリルアン測定を行うように適合されている可能性として図１１に示されたが、デバイス１００の構成が時間、周波数、又は相関領域における解析によって実施されるブリルアン測定を行うように適合されている可能性も、図示はされていないが有する。この可能性によると、第１及び第２の測定用光ファイバー１０、１１、並びに基準光ファイバー３０は、互いに平行に、直列に、又は第１及び第２の測定用光ファイバー１０、１１、並びに基準光ファイバー３０からの２つの光ファイバーが平行に配置される任意のハイブリッド結合（ｈｙｂｒｉｄ  ｃｏｍｂｉｎａｔｉｏｎ）で光学システムに結合され得、第３の光ファイバーは個別に光学システム２０に結合されている。
【０１４３】
図示されていない可能性によると、本発明の範囲から逸脱することなく、基準光ファイバー１０に対して、設備に存在する放射線などの温度及び／又は光ファイバーの変形以外のパラメータの測定を行うように適合することもまた可能である。このような測定は、その主要機能に加えて、この他のパラメータをモニタリングする機能をデバイスに持たせることも可能にすることができ、それはモニタリングされるべき設備における検出及び／又は定量解析である。
【０１４４】
伝達手段２１と測定手段２２のそれぞれが、本発明の範囲から逸脱することなく、１つ又は複数のモジュールを備えることができ、モジュールは単一の光ファイバーでの測定専用とすることができ、これが基準の幾つかの光ファイバー又は全ての光ファイバーであろうが測定用の幾つかの光ファイバー又は全ての光ファイバーであろうが関係ない、ということにも留意すべきである。
【符号の説明】
【０１４５】
１  設備
１０  第１の測定用光ファイバー
１１  第２の測定用光ファイバー
２０  光学システム
２１  発光手段
２２  光学的測定手段
２３  制御及び解析手段
３０  基準光ファイバー
１００  デバイス
２０１  第２のスペクトル
２０２  第１のスペクトル
【図１】
2015503737.tif 000004
【図２】
2015503737.tif 000005
【図３】
2015503737.tif 000006
【図４】
2015503737.tif 000007
【図５】
2015503737.tif 000008
【図６】
2015503737.tif 000009
【図７】
2015503737.tif 000010
【図８】
2015503737.tif 000011
【図９】
2015503737.tif 000012
【図１０】
2015503737.tif 000013
【図１１】
2015503737.tif 000014
【国際調査報告】
2015503737.tif 000015
2015503737.tif 000016
2015503737.tif 000017
2015503737.tif 000018
2015503737.tif 000019
2015503737.tif 000020